(57)【要約】      （修正有）【課題】受け皿からコインをスムーズに取り出して、コインを投入口へ効率よく投入することが可能なコインケースの提供。【解決手段】回胴式遊技機の遊技に用いられるコインが貯留される受け皿に配置されるコインケース１００であって、複数のコイン２００が収容される容器部材１１０であって、一部が開口されており、開口を介して複数のコインが収容される領域と容器部材の外部とが連通している容器部材と、容器部材内を移動することにより、容器部材内で倒れている複数のコインを起こして移動の方向に沿って重ねて整列させるスライド部材１３０と、を備え、スライド部材により整列されたコインは、開口を介して取り出されるように構成されている。【選択図】図８
2017038695.tif 000002
【特許請求の範囲】
【請求項１】
回胴式遊技機の遊技に用いられるコインが貯留される受け皿に配置されるコインケースであって、
複数のコインが収容される容器部材であって、一部が開口されており、該開口を介して前記複数のコインが収容される領域と前記容器部材の外部とが連通している容器部材と、
前記容器部材内を移動することにより、前記容器部材内で倒れている前記複数のコインを起こして前記移動の方向に沿って重ねて整列させるスライド部材と、
を備え、
前記スライド部材により整列されたコインは、前記開口を介して取り出されるように構成されていることを特徴とするコインケース。
【請求項２】
前記容器部材内に形成され、前記起こされたコインが篏合するように形成された円弧状の溝をさらに備えることを特徴とする請求項１記載のコインケース。
【発明の詳細な説明】
【技術分野】
【０００１】
本発明は、回胴式遊技機等の遊技に用いられるコインのコインケースに関する。
【背景技術】
【０００２】
回胴式遊技機（以下、パチスロ機という）では、リール絵柄等が揃うと、パチスロ機前面下方に設置される受け皿（下皿ともいう）に、景品としてのコインが放出され、ここに貯留される（特許文献１）。遊技中、遊技者は受け皿に貯留されたコインを取り出し、投入口へのコイン投入動作を繰り返すことで遊技を行う。
【先行技術文献】
【特許文献】
【０００３】
【特許文献１】特開２００９−１２５３８４号公報
【発明の概要】
【発明が解決しようとする課題】
【０００４】
ここで、遊技者が投入口へコインを投入する場合、上記の受け皿から１枚づつコインを取り出して、投入口へ１枚づつコインを投入するのでは、遊技の進行が遅くなる。よって、遊技者は、投入口へコインを素早く投入するため、受け皿からまとめて複数枚のコインを片手で一度に取り出して、手のひら内でコインを重ねて整列させてから、投入口へコインを連続投入する。
【０００５】
しかしながら、このような動作をスムーズに行うためには、ある程度の慣れが必要である。初心者にとっては、手のひら内でコインを整列させるということが難しい。このため、初心者が遊技する場合には、遊技の進行が遅くなったり、遊技者がうまくコインを投入できず遊技に苛々してしまうといった問題がある。
【０００６】
本発明は、上記の点に鑑み提案されたものであり、その目的として、一つの側面では、受け皿からコインをスムーズに取り出して、コインを投入口へ効率よく投入することにある。
【課題を解決するための手段】
【０００７】
本発明の一態様に係るコインケースは、回胴式遊技機の遊技に用いられるコインが貯留される受け皿に配置されるコインケースであって、複数のコインが収容される容器部材であって、一部が開口されており、該開口を介して前記複数のコインが収容される領域と前記容器部材の外部とが連通している容器部材と、前記容器部材内を移動することにより、前記容器部材内で倒れている前記複数のコインを起こして前記移動の方向に沿って重ねて整列させるスライド部材と、を備え、前記スライド部材により整列されたコインは、前記開口を介して取り出されるように構成されている。
【発明の効果】
【０００８】
本発明の実施形態によれば、一つの側面では、受け皿からコインをスムーズに取り出して、コインを投入口へ効率よく投入することができる。
【図面の簡単な説明】
【０００９】
【図１】本発明の一実施形態に係るコインケースの構造（その１）を示す図である。
【図２】本発明の一実施形態に係るコインケースの構造（その２）を示す図である。
【図３】本発明の一実施形態に係るコインケースの構造（その３）を示す図である。
【図４】本発明の一実施形態に係るコインケースの使用例（その１）を示す図である。
【図５】本発明の一実施形態に係るコインケースの使用例（その２）を示す図である。
【図６】本発明の一実施形態に係るコインケースの使用例（その３）を示す図である。
【図７】本発明の一実施形態に係るコインケースの使用例（その４）を示す図である。
【図８】本発明の一実施形態に係るコインケースの使用例（その５）を示す図である。
【図９】本発明の一実施形態に係るコインケースの使用例（その６）を示す図である。
【図１０】本発明の一実施形態に係るコインケースの使用例（その７）を示す図である。
【図１１】本発明の一実施形態に係るコインケースの使用例（その８）を示す図である。
【発明を実施するための形態】
【００１０】
以下、図面を参照して、本発明を実施するための形態について説明する。はじめに実施形態に係るコインケース１００の構造を説明し、その上でコインケース１００の具体的な使用例について説明する。
【００１１】
＜構成＞
図１は、本発明の一実施形態に係るコインケースの構造（その１）を示す図である。
【００１２】
図１に示されるように、本実施形態に係るコインケース１００は、容器部材１１０、傾斜部材１２０、スライド部材１３０を有する。
【００１３】
容器部材１１０は、遊技者がパチスロ機の投入口に対してコインを投入し易いように、コインを整列させるためのコインケース本体であって、複数のコインを収容できるように構成されている。本実施形態の容器部材１１０は、実際にコインが収容される領域を区画する部分（壁部等）の一部が開口しており、容器部材１１０の内部にある上記領域と容器部材１１０の外部とがこの開口を介して連通している。すなわち、容器部材１１０は、開口部１１０ａを有しており、容器部材１１０に対するコインの出し入れを上記開口部１１０ａを介して行うことが可能である。容器部材１１０は、傾斜部材１２０とｘ断面で接着されている。本発明の一実施形態に係るコインケースの容器部材１１０と傾斜部材１２０はｘ断面で接着されているが、一体として形成されていてもよい。
【００１４】
傾斜部材１２０は、斜面状となっており、コインは斜面をスライドするように容器部材１１０に収容される。なお、開口部１１０ａから容器部材１１０内にコインを収容させてもよい。
【００１５】
スライド部材１３０は、容器部材１１０内において、水平方向（横方向）に倒れて置かれたコインを、スライド操作で押し込むように垂直方向（縦方向）に重ねて整列させるための部材である。このようにして整列された複数のコインを上記開口部１１０ａから取り出すことができる。スライド部材１３０は、容器部材１１０の上淵（開口部１１０ａを形成する縁部分）を矢印方向Ｐにスライド可能にするスライドフック１３１により支持されて設置される。また、スライド部材１３０は、容器部材１１０内において水平方向に倒して置かれたコインを垂直方向に重ねて整列させるための補助部材１３２が取り付けられている。
【００１６】
本実施形態では、上記開口部１１０ａが所定の方向（図１では矢印方向Ｐ）に沿って延在しており、開口部１１０ａの縁部分における上記開口部１１０ａの延在方向と垂直方向の幅が、コインの直径よりも大きい。この幅は、コインの直径よりも大きく、かつコインの直径の２倍よりも小さいことが好ましい。何故ならば、このような幅に設定することにより、開口部内に倒れた状態のコインを１つ配置させることができ、かつ上記開口部１１０ａにおいて、２つのコインが重ならない状態でちょうど並んで配置されることはない。よって、例えば、容器部材１１０のスライド部材１３０と傾斜部材１２０との間に複数のコインが配置されている状態で上記スライド部材１３０を傾斜部材１２０側にスライドさせた場合、ある意味排除体積効果により、開口部１１０ａの幅方向において２つのコインが重ならずに２つ以上配置されることはなく、上記幅方向において多少のずれはあったとしてもコインを１列にさせることができる。よって、後述するように、１列のコイン群を形成することができる。
【００１７】
図２は、本発明の一実施形態に係るコインケースの構造（その２）を示す図である。図２は、図１のコインケース１００をｘ断面で切断した容器部材１１０の斜視断面図を示す。但し、スライド部材１３０は非図示とする。
【００１８】
図２に示されるように、容器部材１１０の断面内部では、第１スロープ１１１、第２スロープ１１２ａ及び第２スロープ１１２ｂが形成されている。
【００１９】
第１スロープ１１１は、容器部材１１０の断面内部の中心に位置し、スロープは直径２５０ｍｍ×２５０ｍｍとするコインの円弧形状により形成される溝である。容器部材１１０の第１スロープ１１１において、パチスロ機用２５パイ（２５０ｍｍ×２５０ｍｍ）のコイン２００を垂直方向に重ねて整列させた場合、丁度コインサイズで収容する。なお、第１スロープ１１１の幅は２５０ｍｍよりも小さい。
【００２０】
第２スロープ１１２ａ及び第２スロープ１１２ｂは、容器部材１１０の断面内部の中心に位置する第１スロープ１１１を挟むように位置して形成される。また、第２スロープ１１２ａ及び第２スロープ１１２ｂの幅は、コイン２００を水平方向に倒して置けるように（寝かせて置けるように）、コイン幅（直径）の２５０ｍｍよりも大きく、例えば、３５０ｍｍである。
【００２１】
容器部材１１０内にパチスロ機用２５パイのコイン２００を水平方向に倒して置いた場合（寝かせて置いた場合）、第１スロープ１１１の幅は２５０ｍｍよりも小さいため、コイン２００は第２スロープ１１２ａ及び第２スロープ１１２ｂに引っかかり、第１スロープ１１１内に収容されることはない。
【００２２】
図３は、本発明の一実施形態に係るコインケースの構造（その３）を示す図である。図３（ａ）は、図１のコインケース１００をｘ断面で切断した容器部材１１０の正面断面図を示し、図３（ｂ）は、図１のコインケース１００をｘ断面で切断した傾斜部材１２０の正面断面図を示す。
【００２３】
図３に示されるように、傾斜部材１２０においては、第１スロープ１１１を形成しない。これにより、第１スロープ１１１において、パチスロ機用２５パイのコイン２００を垂直方向に重ねて整列させた場合、傾斜部材１２０のｘ断面部分は、コイン２００が倒れないよう該コイン２００を支持する。
【００２４】
なお、容器部材１１０及び傾斜部材１２０は、コインがスライドし易いように、コインとの摩擦が少ない素材を用いることが望ましい。また、素材は何であれ、容器部材１１０及び傾斜部材１２０の表面コーティングによりコインとの摩擦を少なくしてもよい。
【００２５】
以上、コインケース１００の構造について説明したが、次にコインケース１００の具体的な使用例について説明する。また、コイン２００に関し、上記の水平方向に倒して置いた状態、垂直方向に重ねて整列させた状態等についても併せて具体的に説明する。
【００２６】
＜使用例＞
図４は、本発明の一実施形態に係るコインケースの使用例（その１）を示す図である。図４に示されるように、パチスロ機（回胴式遊技機）１は、所謂パチスロなどと称されるゲーム遊技装置であり、入賞判定ライン上の停止図柄の組合せによってコインの獲得数を増やすことを楽しむものである。
【００２７】
パチスロ機１の筐体下部には、コイン２００の払出し口２があり、受け皿（下皿ともいう）３がその前方に突設されていて、筐体内部に設けられたホッパーユニット（図示せず）により排出されたコイン２００が払出し口２から受け皿に払い出される。
【００２８】
遊技中、遊技者は、受け皿３に配置されたコインケース１００からまとめて複数枚のコインを片手で一度に取り出して、投入口４へコインを連続投入する動作を繰り返すことで遊技を進行する。
【００２９】
図５は、本発明の一実施形態に係るコインケースの使用例（その２）を示す図である。
【００３０】
まず遊技者は、受け皿３のコイン２００を水平方向に倒したまま（寝かせたまま）の状態で、片手でコイン２００をスライドさせるようにして、コインケース１００に収容する。即ち、図５に示されるように、遊技者は、受け皿３のコイン２００を水平方向に倒したままの状態（寝かせたままの状態）でスライドさせるようにして、傾斜部材１２０から容器部材１１０内にコイン２００を水平方向に倒したままの状態（寝かせたままの状態）で配置し収容する。
【００３１】
なお、コインケース１００に収容するコイン数は、遊技者が片手で一度に掴める程度の枚数が望ましく、例えば、１０枚程度とする。
【００３２】
図６は、本発明の一実施形態に係るコインケースの使用例（その３）を示す図である。図６は、図５のコインケース１００の左側（図５の図面手前側）断面図を示す。
【００３３】
図６に示されるように、容器部材１１０内にパチスロ機用２５パイのコイン２００を水平方向に倒して置いた場合（寝かせて置いた場合）、第１スロープ１１１（非図示）の幅は２５０ｍｍよりも小さいため、コイン２００は第２スロープ１１２ａ及び第２スロープ１１２ｂ（非図示）に引っかかり、第１スロープ１１１に収容されることはない。
【００３４】
図７は、本発明の一実施形態に係るコインケースの使用例（その４）を示す図である。図７は、図５のコインケース１００の左側断面図を示す。
【００３５】
次いで、遊技者はスライド部材１３０をスライド操作し、容器部材１１０内に水平方向に倒して置かれているコイン２００を、スライド部材１３０で押し込むように垂直方向に重ねて整列させる。
【００３６】
なお、スライド部材１３０の補助部材１３２は、コイン２００に向かって鋭角の斜面形状である。このため、補助部材１３２がコイン２００と接触すると、補助部材１３２は、水平方向に倒して置かれているコイン２００をすくい上げるように、第１スロープ１１１内からコイン２００の下に潜りこむ。これにより、水平方向に倒れて置かれているコイン２００がスムーズに垂直方向に立ち上がるようになっている。
【００３７】
図８は、本発明の一実施形態に係るコインケースの使用例（その５）を示す図である。また、図９は、本発明の一実施形態に係るコインケースの使用例（その６）を示す図である。図９は、図８のコインケース１００の左側断面図を示す。
【００３８】
図８、９に示されるように、遊技者がスライド部材１３０をスライド操作すると、容器部材１１０内において、コイン２００が垂直方向に重なって整列する。また、スライド部材１３０の補助部材１３２は、コイン２００が垂直方向に重なって整列すると、スライド部材１３０内に収容される。
【００３９】
図１０は、本発明の一実施形態に係るコインケースの使用例（その７）を示す図である。
【００４０】
次いで、遊技者はスライド部材１３０を元の位置へ戻し、垂直方向に重なって整列されたコイン２００をつまむようにして、コインケース１００からまとめて取り出す。
【００４１】
図１１は、本発明の一実施形態に係るコインケースの使用例（その８）を示す図である。
【００４２】
遊技者は、コインケース１００（容器部材１１０）から、重なって整列された状態のコイン２００を取り出すと、遊技を行うべく、投入口４へコイン２００を連続投入する。
【００４３】
このように、遊技者がコインケース１００を用いることで、コイン２００を容易に重ねて整列させることできるので、初心者であっても、投入口４へコイン２００を連続して素早く投入することが可能である。
【００４４】
なお、コインケース１００は予めパチスロ機１の受け皿３に配置されていてもよいし、遊技者がコインケース１００を保有し遊技開始時にコインケース１００をパチスロ機１の受け皿３に配置するようにしてもよい。
【００４５】
また後者の場合には、コインケース１００はキーホルダーにするなどして、遊技者に対する携帯性を向上させるとよい。コインケース１００自体シンプルで小型の構成であり、プラスチック素材を用いた場合には、コスト面から安価での生産が可能である。このため、例えば、遊技店（ホール）がコインケース１００を交換景品、貸出品又はアメニティーグッズなどに採用し、集客ツールとしてこれを活用しうる。また、コインケース１００に重厚感のある金属素材を用いることで、遊技者に遊技アイテムとしての愛着心をより向上しうる。
【００４６】
＜総括＞
以上、本実施形態に係るコインケース１００においては、遊技者が受け皿からコインケース１００にコインを収容しスライド部材１３０をスライド操作することで、水平方向に倒れているコインを垂直方向に重ねて整列させることが可能である。よって、投入口へコインを投入する際、遊技者はコインケース１００から整列されたコインを取り出すだけでよく、遊技者が受け皿から複数枚のコインを片手で一度に取り出して、手のひら内でコインを重ねて整列させる必要がない。即ち、本実施形態によれば、受け皿からコインをスムーズに取り出して、コインを投入口へ効率よく投入することができる。
【００４７】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【符号の説明】
【００４８】
１          パチスロ機
３          受け皿
１００      コインケース
１１０      容器部材
１３０      スライド部材
【図１】
2017038695.tif 000003
【図２】
2017038695.tif 000004
【図３】
2017038695.tif 000005
【図４】
2017038695.tif 000006
【図５】
2017038695.tif 000007
【図６】
2017038695.tif 000008
【図７】
2017038695.tif 000009
【図８】
2017038695.tif 000010
【図９】
2017038695.tif 000011
【図１０】
2017038695.tif 000012
【図１１】
2017038695.tif 000013